(57)【特許請求の範囲】
【請求項１】
被帯電体側に開口を備えるシールドと、
前記シールドの内側に設けられた放電電極と、
前記放電電極より被帯電体側に設けられたグリッドと、
被帯電体と前記グリッドの間を前記開口の長手方向に移動して前記開口を開閉するシート状のシャッタと、
前記シャッタの一端を保持して、前記長手方向に移動する移動部材と、
前記長手方向に移動して前記グリッドを前記放電電極側へ退避させる引き込み機構であって、前記シャッタで前記開口を閉じる際に前記移動部材の近傍において前記グリッドと接触して前記グリッドを前記放電電極側へ部分的に退避させる力を前記グリッドに与えるテーパ部を備える引き込み機構と、を有する帯電装置。
【請求項２】
前記引き込み機構は前記移動部材よりもシャッタ閉方向側で、前記グリッドを部分的に前記放電電極側へ退避させることを特徴とする請求項１に記載の帯電装置。
【請求項３】
前記グリッドの前記放電電極側の面を清掃するグリッド清掃部材を備え、
前記グリッド清掃部材は前記引き込み機構により前記グリッドが部分的に放電電極側に退避する部分を清掃することを特徴とする請求項１又は２に記載の帯電装置。
【請求項４】
前記引き込み機構は前記移動部材をグリッド長手方向に移動するための駆動源からの駆動力を受けて、前記グリッドを前記放電電極側へと退避させることを特徴とする請求項１乃至３のいずれか１項に記載の帯電装置。
【請求項５】
前記グリッドは平板形状であり、前記シャッタは前記シャッタの短手方向の中央部が前記放電電極側に向けて凸形状となるように規制されていること特徴とする請求項１乃至４のいずれか１項に記載の帯電装置。
【請求項６】
前記グリッドは前記長手方向の両端部に梁部があり、前記梁部の間に複数の開口が斜めに配列された薄板形状のエッチンググリッドであることを特徴とする請求項１乃至５のいずれか１項に記載の帯電装置。
【請求項７】
前記シャッタは前記シャッタの短手方向の中央部が前記放電電極側に向けて凸形状に規制する規制部材を備え、前記規制部材は前記シャッタの前記グリッド側の面に貼り付けられていることを特徴とする請求項１乃至６のいずれか１項に記載の帯電装置。
【発明の詳細な説明】
【技術分野】
【０００１】
グリッドと開口を開閉するシート状のシャッタを備える帯電装置に関する。
【背景技術】
【０００２】
感光体をコロナ帯電器で帯電する電子写真方式の画像形成装置が知られている。とりわけ、感光体の帯電電位を安定させるためにグリッドを備えるスコロトロンと呼ばれるコロナ帯電器を用いた製品が知られている。このような構成において、感光体を効率よく一様に帯電させるためには、コロナ帯電器のグリッドを感光体に近接して配置することが知られている。【０００３】
また、コロナ帯電器はコロナ放電を伴い感光体を帯電することが知られている。空気中でコロナ放電が生じると放電生成物（オゾン、窒素酸化物など）が生じ、これが感光体に付着堆積すると高湿環境下で吸湿し、画像流れと呼ばれる画像不良を引き起こす原因となる。【０００４】
これに対して、感光体をヒータで温めることで放電生成物の吸湿を抑え、画像流れの発生を抑制することが考えられる。しかし、画像流れを抑制するために感光体をヒータで加熱し続けるのは省エネの観点で好ましくない。【０００５】
そこで、特許文献１にはコロナ帯電器の感光体と対向する開口をシャッタで遮蔽する構成が開示されている。具体的は、シート状のシャッタの端部を支持するキャリッジを開口長手方向に移動させ、非画像形成時に開口を遮蔽して放電生成物の感光体への付着を抑制している。
【先行技術文献】
【特許文献】
【０００６】
【特許文献１】特開２０１０−１４５８４０号公報
【発明の概要】
【発明が解決しようとする課題】
【０００７】
ここで、帯電効率向上のためにグリッドと感光体の隙間を狭くすると、開口をシャッタで開閉する際に、シャッタが感光体やグリッドと摺擦しやすくなる。【０００８】
シャッタを感光体に接触させるのは好ましくないため、グリッドにシャッタを接触させることが考えられる。しかし、グリッドとシャッタが摺擦するとシャッタは摩耗してしまう。とりわけ、薄い平板にエッチング加工によって微細な孔をあけたグリッド（エッチンググリッド）を用いた場合に、グリッドとの摺擦によりシャッタは顕著に摩耗する。【０００９】
そのため、帯電効率を高めるためグリッドと感光体の間の隙間を狭くしつつも、シャッタ移動に伴うグリッドとの摺擦によりシャッタが摩耗することを抑制することができなかった。
【課題を解決するための手段】
【００１０】
そこで、本発明の帯電装置は「被帯電体側に開口を備えるシールドと、前記シールドの内側に設けられた放電電極と、前記放電電極より被帯電体側に設けられたグリッドと、被帯電体と前記グリッドの間を前記開口の長手方向に移動して前記開口を開閉するシート状のシャッタと、前記シャッタの一端を保持して、前記長手方向に移動する移動部材と、前記長手方向に移動して前記グリッドを前記放電電極側へ退避させる引き込み機構であって、前記シャッタで前記開口を閉じる際に前記移動部材の近傍において前記グリッドと接触して前記グリッドを前記放電電極側へ部分的に退避させる力を前記グリッドに与えるテーパ部を備える引き込み機構と、」を有することを特徴とする。
【発明の効果】
【００１１】
帯電効率を高めるためにグリッドと感光体の間隔を狭くしたとしても、シャッタ移動時にシャッタのグリッドとの摺擦による摩耗を抑制することができる。
【図面の簡単な説明】
【００１２】
【図１】画像形成装置の概略断面図。
【図２】実施例に係るコロナ帯電器の外観を示す斜視図。
【図３】実施例に係るコロナ帯電器のシャッタ収納部近傍の拡大図。
【図４】実施例に係るコロナ帯電器のシャッタ開閉制御を説明するための図。
【図５】実施例に係るコロナ帯電器のシャッタ開閉動作時の側面図。
【図６】実施例に係るコロナ帯電器のグリッド引込み機構を説明するための図。
【図７】実施例に係るグリッド退避直前の状態を説明するための拡大図。
【図８】実施例に係るグリッド退避動作中の状態を説明するための拡大図。
【図９】実施例に係るグリッド退避動作を説明するための断面図。
【図１０】実施例に係る清掃ブラシを備えるコロナ帯電器の斜視図。
【発明を実施するための形態】
【００１３】
以下、画像形成装置の概略構成を説明した後、帯電装置について図面を用いて詳しく説明する。なお、構成部品の寸法、材質、形状、及びその相対位置等は、特に特定的な記載がない限りは、この発明の範囲をそれらのみに限定する趣旨のものではない。
【実施例１】
【００１４】
まず、画像形成装置の概略構成について簡単に説明した後、本実施例の帯電装置（コロナ帯電器）について詳しく説明する。【００１５】
§１．｛画像形成装置の概略について｝
以下に、プリンタ１００の画像形成に関わる部位（画像形成部）について簡単に説明する。【００１６】
■（装置全体の概略構成について）
図１の（ａ）は画像形成装置としてのプリンタ１００の概略構成を説明するための図である。画像形成装置としてのプリンタ１００は第１から第４のステーションＳ（Ｂｋ〜Ｙ）を備え、それぞれの感光ドラム上に異なるトナーで画像を形成する。図１の（ｂ）は画像形成部としてのステーションを拡大した詳細図である。各ステーションは、感光ドラム上に形成された静電像を現像するトナーの種類（分光特性）を除き略同一であるため、第１のステーション（Ｂｋ）を代表して説明する。【００１７】
画像形成部としてのステーションＳ（Ｂｋ）は像担持体としての感光ドラム１と、感光ドラム１を帯電する帯電装置としてのコロナ帯電器２を備える。感光ドラム１はコロナ帯電器２により帯電された後、レーザスキャナ３からの露光Ｌにより感光ドラム上に静電像が形成される。感光ドラム１上（像担持体上）に形成された静電像は現像装置４に収容されるブラックトナーによりトナー像へ現像される。感光ドラム１上に現像されたトナー像は転写部材としての転写ローラ５により中間転写体としての中間転写ベルトＩＴＢへと転写される。中間転写ベルトへと転写されずに感光ドラム１上に付着した転写残トナーはクリーニングブレードを備える清掃装置６により清掃除去される。なお、感光ドラム１上（感光体上）にトナー像を形成するために関与するコロナ帯電器、現像器などを画像形成部と呼ぶ。なお、コロナ帯電器２（帯電装置）については後に詳述する。【００１８】
このように、各ステーションが備える感光ドラム１から、イエロー（Ｙ）、マゼンタ（Ｍ）、シアン（Ｃ）、ブラック（Ｂｋ）の順に転写されたトナー像は中間転写ベルト上に重ねられる。そして、重ねられたトナー像は２次転写部ＳＴにおいてカセットＣから搬送された記録材へ転写される。２次転写部ＳＴにおいて記録材へと転写されずに中間転写ベルト上に残留したトナーは不図示のベルトクリーナにより清掃される。【００１９】
記録材上に転写されたトナー像はトナーと接触してトナーを加熱溶融させて記録材へ加熱定着する定着装置Ｆにより記録材へと定着され、画像が定着された記録材は機外へと排出される。以上が装置全体の概略構成である。【００２０】
§２．｛コロナ帯電器の概略構成について｝
コロナ帯電器の概略構成について説明した後、シャッタの開閉動作について簡単に説明する。【００２１】
■（コロナ帯電器の概略構成）
図２はコロナ帯電器２の感光体側からの概略斜視図、図３は本実施例のコロナ帯電器のシャッタ収納部近傍を拡大した図である。コロナ帯電器２はグリッド２０６を備える共に、コロナ帯電器の感光体側（被帯電体側）の開口（開口部）を遮蔽可能なシート状のシャッタ２１０を備える。【００２２】
コロナ帯電器２は、前ブロック２０１、奥ブロック２０２、シールド２０３、２０４を備える。また、前ブロック２０１と奥ブロック２０２の間に放電電極としての放電ワイヤ２０５は張架され、高圧電源により帯電バイアスが印加されると、放電して被帯電体としての感光体１を帯電する。なお、シールドの内側に張架される放電電極は円断面形状のワイヤ形状でも、薄い平板状でコノギリ歯状であっても良い。【００２３】
■（グリッド電極について）
また、コロナ帯電器２はシールド２０３、２０４により形成される開口のうち感光体と対向する側の開口に制御電極としての平板形状のグリッド２０６を備える。このグリッド２０６は放電ワイヤ２０５と感光体１の間に配置され、帯電バイアスが印加されることにより感光体へ向けて流れる電流量を制御する。【００２４】
ここで、本実施例では制御電極としてのグリッド２０６は、薄い金属平板（薄板）にエッチング処理(etching)を施したいわゆるエッチンググリッドを用いている。エッチンググリッドは、図３に示すように、グリッド長手方向の両端部に梁部があり、梁部の間に斜めに小窓（開口部）が配列された形状である。【００２５】
この平板状のグリッド２０６は前ブロック２０１と奥ブロック２０２にそれぞれ配置された張架部２０７、２０９により張力を与えられつつ支持（張架）されている。前ブロック２０１に配置されている張架部２０７のつまみ２０８を操作することでグリッド２０６の支持が外れ、容易に着脱可能となっている（図５参照）。さらに、グリッド２０６は張架部２０９付近で平板の一部に曲げ形状が与えられており、多少の伸縮性を備える。そのため、グリッドがコロナ帯電器に張架された状態でも、外力を受けるとある程度に移動することができる。【００２６】
■（シャッタ及びシャッタ収納部について）
続いて、図３を用いてシャッタとシャッタを巻取り収納する構成について説明する。【００２７】
コロナ帯電器２は、シールドの感光体に対向する開口（幅約３６０ｍｍ）のうち少なくとも感光体上に画像が形成される部分の全域（幅約３００ｍｍ）を遮蔽するシート状のシャッタ２１０を備える。シャッタ２１０はグリッド２０６と感光体１の間の隙間を移動してシールドの開口部を開閉する。本実施例の画像形成装置はシャッタ開状態において、グリッド２０６と感光体１の最近接部の距離は約１．０ｍｍと狭い。そのため、感光体とシャッタが接触したとしても感光体を傷つけないように、シャッタ２１０には柔らかい可撓性のシート形状の不織布（レーヨン繊維）を用いた。【００２８】
シャッタ２１０は、コロナ帯電器２の長手方向の端部においてシャッタを巻き取る巻取り機構２１１によりロール状に巻き取られて収納される。この巻取り機構２１１はシャッタ端部を固定したローラと、ローラを付勢するねじりコイルばねを備える。シャッタ２１０はコイルばねによりシャッタを巻き取る方向（開口開き方向）に付勢され、これによりシャッタの長手中央が垂れにくくなる。巻取り機構２１１は、巻取り機構２１１を保持する保持ケース２１４ととともに前ブロック２０１に保持されている。保持ケース２１４のシャッタ引出部近傍には、シャッタ２１０がグリッド２０６のエッジや張架部２０７とそのつまみ２０８などと当接しないようにするためガイド（案内）するガイドコロ２１５が配置されている。【００２９】
また、シャッタ２１０の長手方向の他端は板ばね２１２に固定されている。板ばね２１２はシャッタを保持し閉方向に牽引すると共に、シート状のシャッタをアーチ形状に規制することでシートにコシを与えている。具体的には、シャッタの短手方向の中央部を放電ワイヤ側に向けて凸形状となるように板ばね２１２で規制している。【００３０】
さらに、シャッタ２１０の先端近傍を保持する牽引部材兼規制部材としての板ばね２１２は移動部材としてのキャリッジ２１３に接続されている。なお、本実施例のシャッタ２１０の厚みは０．１５ｍｍ、板ばね２１２は厚さ０．１０ｍｍの金属材料を用い、薄いながらもシャッタを牽引するに耐える強度を得ている。ここで、規制部材としての板ばね２１２はシャッタと比べて摩耗性が高い。そのため、先端部では板ばねがグリッド側となるように設けられている（図３、６、７、８参照）。【００３１】
キャリッジ２１３がコロナ帯電器の上方に設けられたスクリュ２１７からの駆動を受けて、奥側（開口閉方向）に移動すると、シャッタ２１０は巻取り機構２１１から引き出される。また、キャリッジ２１３が手前側（開口開方向）に移動すると、シャッタ２１０は巻取り機構２１１により巻き取られて保持ケース２１４に収納される。【００３２】
■（シャッタの開閉制御について）
続いて、コロナ帯電器２のシャッタの開閉制御について簡単に説明する。図４の（ａ）は制御回路を模式的に示したブロック図、図４の（ｂ）は制御内容を説明するためのフローチャートである。【００３３】
図４の（ａ）に示すように、制御手段としての制御回路（コントローラ）Ｃは、内部に保持されたプログラムに従い、駆動源としての開閉モータ、高圧電源、ドラムモータを制御する。また、ポジションセンサはフラグの有無を制御回路に通知する。【００３４】
以下に、画像形成動作中のコロナ帯電器の動作についてフローチャートを用いて説明する。【００３５】
画像形成信号を受け、制御回路Ｃはポジションセンサ２１９の出力に基づき、シャッタが閉じた状態である場合、開閉モータを駆動して開口を開くようにシャッタを移動させる（Ｓ１０１）。続いて、シャッタを退避させた状態（開口開）で、ドラムモータＭを駆動して感光体１を回転させる（Ｓ１０２）。【００３６】
また感光体を帯電するために、制御回路Ｃは高圧電源から放電ワイヤ及びグリッドに対して帯電バイアスを印加するように制御する（Ｓ１０３）。【００３７】
コロナ帯電器２によって帯電された感光体１に、各画像形成に関わる要素を作用させて、シート上に画像が形成される（Ｓ１０４）。画像形成終了後、制御回路Ｃはコロナ帯電器への帯電バイアスの印加を停止させ（Ｓ１０５）、続いて感光体の回転を停止させる（Ｓ１０６）。【００３８】
感光体回転停止後、制御回路Ｃは開閉モータ２１８を逆回転させてシャッタで開口を閉じる動作を実行させる（Ｓ１０７）。なお、画像形成直後にシャッタ２１０の閉動作を行っても、画像形成終了から所定の時間経過後に閉動作を実行してもよい。【００３９】
§３．｛グリッドを退避させる機構について｝
シャッタの開閉動作に伴うグリッドの位置について簡単に説明した後、グリッドをワイヤ側に引き込む退避機構について詳しく説明する。【００４０】
■（シャッタの開閉動作とグリッド位置について）
移動部材としてのキャリッジ２１３は、スクリュ２１７と開閉モータ２１８によって駆動されコロナ帯電器の長手方向に移動する。また、放電ワイヤ２０５を清掃する清掃パッド２１６をキャリッジ２１３に保持し、シャッタ２１０の開閉動作と同時に放電ワイヤ２０５を清掃する構成を採用している。【００４１】
ここで、コロナ帯電器２はポジションセンサ２１９と、シャッタ開位置においてポジションセンサ２１９の検知部を遮蔽する検知フラグ２２０を備える。ポジションセンサ２１９は検知部が検知フラグ２２０により遮蔽されることによりシャッタ２１０が開いた位置（ホームポジション）にあると検知する。【００４２】
図５の（ａ）はキャリッジ２１３がホームポジションにある状態におけるコロナ帯電器２の側面図である。図５の（ａ）の状態（シャッタ開放状態）では、グリッド２０６は感光体と略平行に張架されている。また、グリッド２０６と感光体１の間隔は略中央の近接部で１．０〜１．５ｍｍ程度となっている。なお、本実施例においてグリッドと感光体が略平行とは、グリッド２０６の梁線とドラム状の感光体１の母線が１度以内であることを指す。【００４３】
ここで、シャッタ２１０の先端部（閉方向の一端）はシャッタを牽引する板ばね２１２の厚み分だけ厚い。言い換えると、シャッタに板ばねが貼り付けられているため、シャッタ先端部はシャッタの厚みと板ばねの厚みを足した厚みとなる。当然、組立て精度を上げて板ばね部分を感光体とグリッドの隙間（約１ｍｍ）を通すことは可能であるが、コストアップを招くため好ましくない。コロナ帯電器の組立て誤差を考慮しても、感光体に板ばねが接触させない代わりに板ばねとグリッドと摺擦させると、シャッタがグリッドと摺擦し易くなるため好ましくない。とりわけ、薄板形状のグリッドに複数の開口部を備えるエッチンググリッドを用いた場合、感光体とグリッドの間のギャップが狭い状態でシャッタの開閉動作を行うと、厚みのある板ばね２１２部分がグリッドに引っ掛かる可能性がある。【００４４】
そこで本実施例のコロナ帯電器は、シャッタ先端部の牽引する板ばね２１２がグリッドと接触し難くするために、キャリッジ２１３にグリッド２０６をワイヤ側（放電電極側）に引き込んで退避させる機構を設けている。そのため、シャッタで開口を閉める際に図５の（ｂ）に示すように、グリッドが退避して、板ばねやシャッタがグリッドと摺擦することを抑制することができる。なお、板ばね２１２の先端位置２１２Ａはグリッド張架部２０７、２０９の間を移動するため、グリッドは放電ワイヤ側にスムーズに変形することができる。【００４５】
図５の（ｃ）は非画像形成時のシャッタ位置（つまり、開口閉位置）におけるコロナ帯電器２の側面図である。ここで、キャリッジ２１３に放電ワイヤを清掃する清掃パッド２１６を設けているため、図５の（ｃ）の位置でもシャッタがシールドの感光体側の開口全域を遮蔽することはない（つまり、多少の隙間ができる）。当然、図５の（ｃ）の状態であれば、シャッタ２１０は少なくとも感光体の露光により静電像が形成される画像形成領域全域を遮蔽している。そのため、実質的に画像を形成する部分をシャッタで覆った状態であれば画像流れの発生を十分に抑制でき、シャッタで開口を実質的に閉じていると言える。【００４６】
さらに、図５の（ｂ）、図５の（ｃ）に示すように、グリッドを放電ワイヤ側へ引き込む位置は板ばね２１２と重なる位置となっている。これにより、少ないグリッドの移動量で板ばねのグリッドへの引っ掛かりやシャッタの摩耗を抑制することができる。【００４７】
なお、シャッタを閉じるに際してグリッドの長手全域をワイヤ側へ退避させてもよい。その場合には、グリッド張架部に過度の負荷が掛からないように、グリッドの退避に伴う変位を吸収するため、グリッド張架部を可動としつつばね付勢する構成を採用するのが好ましい。当然、グリッドを退避させる部位は必要最低限にとどめることが、グリッドの位置精度を確保するために望ましい。そのため、本実施例ではシャッタ閉方向側の端部（板ばね）の近傍において部分的（幅５．０ｍｍ）にグリッドをワイヤ側に退避させる構成を採用した。本実施例ではグリッドの引込み量を１．０ｍｍとし、板ばねの位置を引込み位置近傍（引込み位置から１２．０ｍｍ以内）とした。なお、板ばねによりシャッタがアーチ形状に規制されている部分のうち凸部は板ばねから遠ざかるほどアーチ形状がなだらかになる。そのため、シャッタの板ばね近傍の部位は板ばねから遠い部位と比べてグリッドと摺擦により摩耗しやすい。【００４８】
■（グリッド退避機構の拡大図）
続いて、本実施例のグリッドを放電ワイヤ側へ引き込むことでグリッドを放電ワイヤ側に退避させる機構についてその特徴について詳しく説明する。図６はコロナ帯電器２のグリッドを退避させる退避機構を説明するための拡大図である。【００４９】
図６に示すように、グリッドを放電ワイヤ側に退避させるために、キャリッジ２１３にグリッドをワイヤ側へと移動させるテーパ部２１３Ａを設けた。このテーパ部２１３Ａはシャッタ開閉動作中もシャッタの先端位置２１２Ａとグリッド長手方向に２．０ｍｍの相対距離を保つ。また、グリッド２０６にはシャッタ開位置にあるキャリッジのテーパ部と接触しないように、一部が切り欠かれた形状となっている。【００５０】
シャッタ開位置において、グリッド引込み部としてのテーパ２１３Ａはグリッド２０６の切り欠き部２０６Ｂに位置する。そのため、帯電動作中にテーパ２１３Ａがグリッド２０６と接触することなく、グリッドは張架部により感光体と略平行な帯電位置で張架される。また、キャリッジに設けたテーパ部と係合し易くするために、グリッド２０６は放電ワイヤ側に向かって折り曲げられた斜面２０６Ａを備える。【００５１】
続いて、グリッド２０６の一部を変形させて、放電ワイヤ側に引き込む際の動作についてより詳細な拡大図（図７、図８）を用いて説明する。【００５２】
図７は開口が開いた状態からシャッタ２１０で開口を閉める際のキャリッジ２１３とグリッド２０６の接触部を拡大した図である。シャッタ２１０の先端部２１０Ａは板ばねによりアーチ形状に付勢されて、グリッドの開口開放する位置に位置している。キャリッジ２１３は図中の矢印Ｘ方向に移動することで、キャリッジ２１３のグリッドを帯電ワイヤ側に引き込むためのテーパ部２１３Ａとグリッドのテーパ部２０６Ａが接触する。図７に示す位置よりも矢印Ｘ方向にキャリッジが移動すると、グリッドはキャリッジのテーパ部２１３Ａから力を受けて一部が放電ワイヤ側に向かって変形する。【００５３】
図８はキャリッジがグリッドを放電ワイヤ側に退避させた状態におけるキャリッジとグリッドの接触部を拡大した図である。グリッド引込み機構としてのテーパ部２１３Ａとグリッド２０６のテーパ部２０６Ａはグリッド幅方向の両端に設けられている。グリッド２０６は感光体から放電ワイヤ側に向けて変形して退避している間、キャリッジのテーパ部から放電ワイヤ側に向かう方向の力Ｆを受け続ける。図８に示すように、板ばね２１２の先端位置２１２Ａはテーパ部２１３Ａよりもシャッタ閉方向で上流に配置している。そのため、板ばねはテーパ部２１３Ａにより放電ワイヤ側へ退避することにより大きくなった隙間を容易に通過することができる。【００５４】
最後に、断面図を用いて退避機構によるグリッドの退避について簡単に説明する。図９の（ａ）はキャリッジのテーパ部２１３Ａがグリッドのテーパ部２０６Ａと接触していない状態（図７の状態）を説明するための断面図である。この状態において、感光体１とグリッド２０６の間の距離は約１ｍｍ（図中Ａｍｍ）となる。続いて、図９の（ｂ）はキャリッジのテーパ部２１３Ａがグリッドのテーパ部２０６Ａを乗り越え、グリッド２０６を放電ワイヤ側に退避させた状態（図８の状態）の断面図である。この時、キャリッジとグリッドが接触する面において、グリッド２０６は放電ワイヤへ向かう方向の力Ｆを受けて変形する。図９の（ｂ）の状態において、感光体１とグリッド２０６の変形により退避した部分との間の距離は約２ｍｍ（図中Ａ＋Ｂｍｍ）となる。つまり、シャッタ２１０を開いた状態におけるグリッドと感光体の間の距離（Ａｍｍ）は、シャッタを閉じた状態におけるグリッドと感光体の距離（Ａ＋Ｂｍｍ）よりも近い位置となる。そのため、帯電効率を高めるためにグリッドと感光体の間隔を狭くしたとしても、シャッタ移動時にシャッタのグリッドとの摺擦による摩耗を抑制することができる。【００５５】
なお、本実施例においてグリッド引込み部材２１３Ａはキャリッジ２１３と一体部品になっているが、別体としても良い。また、グリッド２０６を放電ワイヤ側に向けて退避させる退避機構は、マグネットや圧電素子などを用いてもよい。なお、本実施例のようにシャッタを開閉移動させる開閉モータ２１８の駆動力を利用する構成を採用すれば構成を簡略化することができるため好ましい。
【実施例２】
【００５６】
以下に本実施例について説明する。なお、実施例１と同一の構成については同一符号を付すことにより重複する説明は適宜省略する。本実施例の帯電装置はグリッドを清掃する清掃ブラシを備える。なお、シャッタを牽引する板ばね２１２からグリッド２０６を退避する機構は実施例と同一であるため説明を省略する。【００５７】
図１０の（ａ）は本実施例に係る帯電装置としてのコロナ帯電器２の斜視図である。本実施例のコロナ帯電器２はスクリュからの駆動を受けてシャッタの端部を開口長手方向に移動するキャリッジ２１３にグリッドを清掃する清掃ブラシ２５０を設けた。グリッド清掃部材としての清掃ブラシ２５０は、グリッドの放電ワイヤ側の面から感光体に向かって侵入してグリッドに付着したトナー、ほこり、不織布から出た糸屑などを取り除く。【００５８】
画像形成時に、グリッド２０６が感光体と所望の距離（全域に渡り約１ｍｍ）を保つように、清掃ブラシ２５０はグリッド２０６から退避させている。具体的には、シャッタ開位置において清掃ブラシ２５０がグリッドの切り欠き部２０６Ｂの位置近傍に退避させて、グリッドに掛かるストレスを低減させた。【００５９】
続いて、グリッドを清掃ブラシ２５０で清掃する際の動作について図１０の（ｂ）を用いて説明する。グリッド清掃時は、清掃ブラシ２５０をグリッドに所定量侵入させつつ矢印Ｘ方向に清掃ブラシを移動させてグリッドを清掃する。【００６０】
ここで、清掃ブラシ２５０をグリッド２０６に向けて侵入させるとグリッド２０６が感光体１側に変形する恐れがある。そのため、本実施例ではグリッドを放電ワイヤ側に退避させるテーパ部２１３Ａを備えるキャリッジ２１３に清掃ブラシ２５０を保持させた。つまり、清掃ブラシは機構がグリッドを局所的に退避させる位置と略同位置を清掃する。これにより、清掃ブラシ２５０でグリッド２０６を清掃しつつもグリッド２０６が感光体１に変形することを抑制できる。言い換えると、グリッド２０６を清掃しつつもシャッタ先端部２１０Ａを保持する板ばね２１２を容易に感光体１とグリッド２０６の間を通すことができる。【００６１】
このように、グリッド清掃ブラシ２５０作動時のグリッド２０６への侵入構成及びシャッタ開閉時のグリッド２０６からの退避機構を兼用する構成ことにより、グリッドの定期的な清掃を実施することで帯電安定性を向上させることができる。【００６２】
本発明は上記実施の形態に制限されるものではなく、本発明の精神及び範囲から離脱することなく、様々な変更及び変形が可能である。従って、本発明の範囲を公にするために以下の請求項を添付する。
【符号の説明】
【００６３】
１００  画像形成装置
１  感光体（像担持体、被帯電体）
２  コロナ帯電器（スコロトロン）
２０３、２０４  シールド（ケーシング）
２０５  放電ワイヤ（放電電極）
２０６  グリッド（制御電極）
２０７、２０９  グリッド張架部（張架部）
２１０  シャッタ（遮蔽部材）
２１３  キャリッジ（移動部材）
２１３Ａ  テーパ部（退避機構）
２５０  清掃ブラシ（グリッド清掃部材）
【図１】
0006001055.tif 000002
【図２】
0006001055.tif 000003
【図３】
0006001055.tif 000004
【図４】
0006001055.tif 000005
【図５】
0006001055.tif 000006
【図６】
0006001055.tif 000007
【図７】
0006001055.tif 000008
【図８】
0006001055.tif 000009
【図９】
0006001055.tif 000010
【図１０】
0006001055.tif 000011